(57)【要約】【課題】錘を用いず、アコースティックピアノと同様の鍵の手応感を有する電子鍵盤楽器を提供する。【解決手段】鍵盤３は、各鍵３０の長さを、低音側から高音側に向かって一定の割合で順に短くなるよう形成し、押鍵側の各鍵３０の端部を配列方向に沿って揃え、各鍵３０の非押鍵側の端部が、勾配θの階段状に並ぶように各鍵３０を配置したものである。このようにすれば鍵３０の重さが低音側から高音側に向かって徐々に小さくなるので、これに伴って高音側ほど押鍵感覚も軽くなる。従って、このように構成すれば電子鍵盤がアコースティックピアノ１風の電子ピアノ１を簡単かつ安価に製造できる。【選択図】  図２
2005010418.tif 000002
【特許請求の範囲】
【請求項１】
音階順に配列された複数の鍵を備える鍵盤と、
該鍵盤の非押鍵側に設置され、前記各鍵毎に備えられた複数の疑似アクションを有するアクション装置と
を備え、
前記鍵を押鍵操作すると、対応する前記疑似アクションが機能する電子鍵盤楽器において、
前記鍵盤の前記各鍵の長さを、低音側から高音側に向かって順に短く形成したことを特徴とする電子鍵盤楽器。
【請求項２】
前記アクション装置は、複数の前記疑似アクションを、櫛刃状に一列に並べた状態で支持するハンマーレールを備え、
前記各鍵の非押鍵側端部の並び方向に沿って前記ハンマーレールを配置したことを特徴とする請求項１記載の電子鍵盤楽器。
【請求項３】
前記ハンマーレールは、前記各鍵の下面の非押鍵側端部に対向する位置に、該ハンマーレールの長手方向に沿って配置された第１のストッパーを備え、
押鍵側の前記各鍵のあがき量が揃う角度で、前記各鍵の下面の非押鍵側端部に前記第１のストッパーが当接するよう、前記ハンマーレールの長さ方向の一端側を他端側より傾斜させて配置したことを特徴とする請求項２記載の電子鍵盤楽器。
【請求項４】
前記疑似アクションは、前記ハンマーレールに回動可能に取り付けられ、押鍵時に前記鍵に持ち上げられて上方に向かって回動する疑似ハンマーと、該疑似ハンマーの上方に配置され、前記疑似ハンマーの上方への回動を止める第２のストッパーとを備え、該第２のストッパーは、前記疑似ハンマーを止める位置を可変可能に構成されていることを特徴とする請求項１〜３いずれか記載の電子鍵盤楽器。
【発明の詳細な説明】
【０００１】
【発明の属する技術分野】
本発明は、電子鍵盤楽器に関する。
【０００２】
【従来の技術】
従来より、疑似アクションを有するアクション装置を備えた電子ピアノその他の電子鍵盤楽器では、鍵を弾く手応感が、アコースティックピアノの鍵を弾く場合と同様、低音側ほど重い手応感を得られるようにするため、疑似アクションを構成するハンマーや鍵に低音側ほど重い錘を付けている。
【０００３】
【特許文献】特願平７−３１３５８４号
【０００４】
【発明が解決しようとする課題】
しかし、錘を用いて鍵の手応感を変化させようとすると、各鍵毎に重さの違う錘を用意して適当な大きさに形成し、さらにその錘を各鍵すべてに取り付けねばならないため、手間がかかるという問題があった。また、錘には従来鉛が用いられていたが、環境問題等から、鉛を用いることができなくなってきたので、錘を用いずに鍵の手応感を変化させる技術が期待されている。
【０００５】
そこで本発明では、上述した問題点を解決し、錘を用いず、アコースティックピアノと同様の鍵の手応感を有する電子鍵盤楽器を提供することを目的とする。
【０００６】
【課題を解決するための手段及び発明の効果】
上述した問題点を解決するためになされた請求項１に記載の発明は、音階順に配列された複数の鍵を備える鍵盤と、該鍵盤の非押鍵側に設置され、前記各鍵毎に備えられた複数の疑似アクションを有するアクション装置とを備え、前記鍵を押鍵操作すると、対応する前記疑似アクションが機能する電子鍵盤楽器において、前記鍵盤の前記各鍵の長さを、低音側から高音側に向かって順に短く形成したことを特徴とする。
【０００７】
本発明の電子鍵盤楽器のように、各鍵の長さを、低音側から高音側に向かって順に短く形成すれば、鍵の重さが低音ほど重く高音ほど軽くなるので、押鍵時の手応感が低音ほど重く高音ほど軽い、アコースティックピアノと同様の手応感を有する電子鍵盤楽器を形成することができる。また、本発明のように構成すれば、錘を用いることなく、低音側から順に短い鍵を形成するだけで、アコースティックピアノと同様の手応感を有する電子鍵盤楽器を簡単に製造することができる。
【０００８】
ところで、従来の電子鍵盤楽器のアクション装置は、図５に示すように、複数の疑似アクションを、櫛刃状に一列に並べた状態で支持するハンマーレールを備えている。そして、このアクション装置を、一定の長さに形成された複数の鍵からなる鍵盤の非押鍵側に、ハンマーレールが鍵の配列方向に沿って配置されるよう設置していた。
【０００９】
一方、本願発明の電子鍵盤楽器では、各鍵の長さが低音側から高音側に向かって、順次短く形成されている。そのため、鍵と疑似アクションとを平行に配置しようとすると、ハンマーレールに対し疑似アクションが斜めにとりつくので、ジョイント部分で複雑な構成が必要となる。
【００１０】
そこで、本発明の電子鍵盤楽器では、請求項２に記載したように、複数の疑似アクションを櫛刃状に一列に並べた状態で支持するハンマーレールを、各鍵の非押鍵側端部の並び方向に沿って配置してもよい。
このようにすれば、鍵と疑似アクションとは斜めに配置されるが、従来製造されていたアクション装置を、上記のように配置するだけで済むので、本発明の電子鍵盤楽器を安価に製造することができる。
【００１１】
次に、請求項３に記載の電子鍵盤楽器のように、ハンマーレールは、各鍵の下面の非押鍵側端部に対向する位置に、ハンマーレールの長手方向に沿って配置された第１のストッパーを備え、押鍵側の各鍵のあがき量が揃う角度で、各鍵の下面の非押鍵側端部に第１のストッパーが当接するよう、ハンマーレールの長さ方向の一端側を他端側より傾斜させて配置することが好ましい。
【００１２】
従来のアクション装置をそのまま利用しようとすると、鍵の長さがそれぞれ異なるので、鍵の非押鍵側の端部が第１のストッパーと当接する高さが一定だと、押鍵側の端部の高さが高音側ほど高いものとなる。しかし、このようにハンマーレールを傾ければ、高音側の第１のストッパーが持ち上がって、押鍵側の端部が下がり一定の高さにすることができるので、押鍵部の各鍵のあがき量を一定にすることができる。
【００１３】
次に、請求項４に記載された電子鍵盤楽器のように、疑似アクションは、ハンマーレールに回動可能に取り付けられ、押鍵時に鍵に持ち上げられて上方に向かって回動する疑似ハンマーと、疑似ハンマーの上方に配置され、疑似ハンマーの上方への回動を止める第２のストッパーとを備え、第２のストッパーは、疑似ハンマーを止める位置を可変可能に構成されていることが好ましい。
【００１４】
本願発明の電子鍵盤楽器では、鍵の長さが異なっているので各鍵の押鍵時の稼働範囲もまちまちで、その結果ハンマーのストロークもまちまちとなる。また、ハンマーが第２のストッパーに当接する位置は、通常、打弦ポイントを想定した位置となるが、第２のストッパーの位置が一律だと、ハンマーが第２のストッパーに当たるタイミングがずれる。このようにハンマーが第２のストッパーに当たるタイミングがずれると、疑似ハンマーが戻るタイミングが異なってくるため、連打の時など、演奏者に違和感を感じさせることがある。しかし、本発明では、第２のストッパーを調整して、疑似ハンマーを止める位置を変えることができるので、ハンマーが第２のストッパーに当たるタイミングを一定に調整することができる。そのため、本発明の電子鍵盤楽器を用いれば、演奏者に違和感を感じさせることがない。
【００１５】
【発明の実施の形態】
以下、本発明が適用された実施の形態について図面を用いて説明する。
図１は本実施形態の電子ピアノが備えている鍵及び疑似アクションの一部構成を表した概略平面図、図２は鍵及びハンマーレールの位置関係を説明するため、鍵やハンマーレールを模式的に表した平面模式図であり、図３は低音側から鍵の配列方向に沿って白鍵及び疑似アクションを見た側面図である。尚、図１では、疑似アクション６については、ハンマーとハンマーレールについてのみ記載している。
【００１６】
本実施形態の電子ピアノ１は、図１に示すように、音階順に配列された複数の鍵３０を備える鍵盤３と、鍵盤３の非押鍵側に設置され、各鍵３０毎に備えられた複数の疑似アクション６を備えるアクション装置５とを備えている。
鍵盤３は、各鍵３０の長さを、低音側から高音側に向かって一定の割合で順に短くなるよう形成し、押鍵側の各鍵３０の端部を鍵３０の配列方向に沿って揃え、各鍵３０の非押鍵側の端部が、勾配θ（図２参照）の階段状に並ぶように各鍵３０を配置したものである。この鍵盤３は、底板３４上に設置され、各鍵３０は、図３に示すように、鍵３０の配列方向に沿って底板３４上に配置された中筬３２上に揺動可能に支持されている。
【００１７】
中筬３２は、鍵３０の長さ方向に沿った上部中央から垂直に立設された揺動ピン３２０を備え、各鍵３０は、各鍵３０の揺動中心に穿孔された揺動孔（図示していない）にこの揺動ピン３２０を通して設置する。
なお、本実施形態では、勾配θは、図２に示すように、最低音の鍵３０を１００としたとき、最高音の鍵３０が７０以上９０以下の長さになる勾配であることが好ましく、最高音の鍵３０が７０となる勾配であることがより好ましい。また、各鍵３０の長さ以外の規格（幅等）は、ＪＩＳ規格その他の鍵の幅等を定めた規格に合わせて形成することが好ましい。
【００１８】
アクション装置５は、図３に示すように、複数の疑似アクション６と、これらを支持するハンマーレール５０とを備えている。
ハンマーレール５０は、長尺に形成し、その長手方向に垂直な断面が略コ字状になるよう形成する。そしてこのハンマーレール５０は、ハンマーレール５０の下側辺５０ａの先端に、底板３４の非押鍵側側面に設けられた突起３４ａを挿入することで、底板３４に対し固定する。また、このように底板３４に対し固定したハンマーレール５０の下側辺５０ａの上面であって、鍵３０下面の非押鍵側端部に対向する位置には、フェルトからなるストッパ５２（本発明の第１のストッパに相当する）を配置する。このストッパ５２は、ハンマーレール５０の長手方向に沿って、この下側辺５０ａ上に配置する。さらに、このハンマーレール５０の縦辺５０ｂの押鍵側の高さ方向中央地点から押鍵側に所定距離離れた位置には、ハンマーレール５０の長さ方向に沿って配置され、円柱状に形成された支点棒５４を配置し、その支点棒５４を脚部５６を用いてハンマーレール５０に固定する。
【００１９】
疑似アクション６は、疑似ハンマー６０及びストッパー６２を備えている。
疑似ハンマー６０は、本体６０ａを棒状に形成し、その（６０ａ）一端に錘６０ｂを固定し、他端に回動部６０ｃを形成する。このうち回動部６０ｃは、支点棒５４に通したとき、疑似ハンマー６０がハンマーレール５０の長さ方向に垂直な面内で回動可能な輪状に形成する。この疑似ハンマー６０は、回動部６０ｃを支点棒５４に連珠状に順次挿入し、ハンマーレール５０に対し櫛刃状に一列に並べた状態（ハンマーレール５０の長さ方向に対し垂直に立ち、その長さ方向に沿って一列に林立した状態）に配置する。またこの疑似ハンマー６０の本体６０ａ下面の非押鍵側端部であって、鍵３上面の非押鍵側端部に設置されたフェルト３１に当接する位置に、キャプスタンスクリュー６１を取り付ける。なお、疑似ハンマー６０と鍵３０との位置関係の対応を取るため、疑似ハンマー６０を支点棒５４に取り付ける際、輪状のフェルトを挟み込むなどして、対応を取るようにしてもよい。
【００２０】
ストッパー６２（本発明の第２のストッパーに相当する）は、ハンマーレール５０の長さ方向に垂直な平面視で、平板を断面Ｌ字状に折り、そのＬの字を半時計回りに略九十度回転させた形状に形成する。そしてこのストッパー６２は、上下方向に立った一方の面（略垂直に立った面）を、ハンマーレール５０の上側辺５０ｃの先端に当接させ、その一方の面に設けられた上下方向に長い図示しない長穴にネジを通して、ハンマーレール５０にネジ止めする。この際、ストッパー６２は、すべての疑似ハンマー６０のストロークが一定になるようストッパー６２を上下方向に移動して位置決めした後ネジ止めする。なお、このストッパー６２の他方の面の下面（外側の面）にはフェルト６２ｃが取り付けられ、疑似ハンマー６０が当たったときの雑音の発生を防止している。
【００２１】
このように構成された電子ピアノ１では、鍵３０の押鍵側先端を押鍵すると、鍵３０の非押鍵側端部が持ち上がり、キャプスタンスクリュー６１を介して疑似ハンマー６０が回動して慣性運動で上方に跳ね上がる。そして、疑似ハンマー６０は回転してストッパー６２に当たって跳ね返り、鍵３０も疑似ハンマー６０も非押鍵時の状態に戻る。
【００２２】
以上説明した本実施形態を用いると以下のような効果がある。
まず本実施形態の電子ピアノ１のように、各鍵３０の長さを、低音側から高音側に向かって順に短く形成すれば、鍵３０の重さが低音ほど重く高音ほど軽くなるので、押鍵時の手応感を、錘を用いることなく、アコースティックピアノと同様、低音ほど重く高音ほど軽くすることができる。また、本実施形態のように構成すれば、アコースティックピアノと同様の手応感を有する電子ピアノ１を、低音側から順に短い鍵３０を形成するだけで、簡単に製造することができる。
【００２３】
また、本実施形態の電子ピアノ１では、複数の疑似アクションを櫛刃状に一列に並べた状態で支持するハンマーレール５０を、各鍵３０の非押鍵側の端部に沿って勾配θで配置した。そのため、鍵３０と疑似アクション６とは斜めに配置されるが、従来製造されていたアクション装置を、上記のように配置するだけで本実施形態の電子ピアノ１を製造できるので、本実施形態の電子ピアノ１を安価に製造することができる。
【００２４】
さらに、本実施形態の電子ピアノ１では、鍵３０の長さが異なっているので各鍵３０の押鍵時の可動範囲もまちまちで、その結果疑似ハンマー６０のストロークもまちまちとなる。また、疑似ハンマー６０がストッパー６２に当接する位置は、打弦ポイントを想定した位置となるが、ストッパー６２の上下方向の位置が一律だと、疑似ハンマー６０がストッパー６２に当たるタイミングがずれる。このように疑似ハンマー６０がストッパー６２に当たるタイミングがずれると、疑似ハンマー６０が戻るタイミングが異なってくるため、連打の時など、演奏者に違和感を感じさせることがあるが、本実施形態では、ストッパー６２を調整して、疑似ハンマー６０を止める上下方向の位置を変えることができるので、疑似ハンマー６０がストッパー６２に当たるタイミングを一定に調整することができる。そのため、本実施形態の電子ピアノ１を用いれば、演奏者に違和感を感じさせることがない。
【００２５】
なお、従来のアクション装置をそのまま利用しようとする場合、本実施形態では、図４に示すように、鍵３０の長さがそれぞれ異なるので、鍵３０の非押鍵側の端部がストッパー５２と当接する高さが一定だと、押鍵側の端部の高さが高音側ほど高いものとなり、そのあがき量（鍵３０の押鍵に必要なストローク量）も異なってくる。
【００２６】
本実施形態では、ハンマーレール５０は、各鍵３０下面の非押鍵側の端部に対向する位置に、ハンマーレール５０の長手方向に沿って配置されたストッパー５２を備えているが、押鍵側の各鍵３０のあがき量が揃う角度で、各鍵３０下面の非押鍵側の端部にストッパー５２が当接するよう、ハンマーレール５０の長さ方向の一端側を他端側より傾斜させて配置してもよい。このようにすれば、高音側の第１のストッパー５２が持ち上がって、押鍵側の端部が下がり一定の高さにすることができるので、各鍵のあがき量を一定にすることができる。
【００２７】
尚、本発明の実施の形態は、上記実施形態に何ら限定されるものではなく、本発明の技術的範囲に属する限り種々の形態を採り得ることはいうまでもない。
例えば、ハンマーレール５０を勾配θで配置することによって、演奏者が違和感を感じる場合、中筬３２と鍵３０との間にフェルトを挟むなどして鍵３０の高さを調整してもよい。
【００２８】
また、本実施形態では、ストッパー５２をフェルトのみで構成したが、鍵３０が当接する位置を変えることができるよう、上下方向にフェルトを移動可能な構成を備えてもよい。このようにすれば、ハンマーレール５０を上下方向に傾けなくても、鍵３０がストッパー５２に当たる位置をストッパー５２を調整することで、各鍵３０のあがき量を一律に調整することができる。
【図面の簡単な説明】
【図１】本実施形態の電子ピアノが備えている鍵及び疑似アクションの一部構成を表した概略平面図である。
【図２】鍵及びハンマーレールの位置関係を説明するため、鍵やハンマーレールを模式的に表した平面模式図である。
白鍵及び疑似アクションを配列方向に沿って白鍵の低音側から見た側面図である。
【図３】白鍵及び疑似アクションを配列方向に沿って白鍵の低音側から見た側面図である。
【図４】白鍵及び疑似アクションを配列方向に沿って白鍵の低音側から見た側面図である。
【図５】従来の電子ピアノが備えている鍵及び疑似アクションの概略平面図である。
【符号の説明】
１…電子ピアノ、３…鍵盤、５…アクション装置、６…疑似アクション、３０…鍵、３１…フェルト、３２…中筬、３４…底板、３４ａ…突起、５０…ハンマーレール、５２…ストッパー、５４…支点棒、５６…脚部、６０…疑似ハンマー、６１…キャプスタンスクリュー、６２…ストッパー
【図１】
2005010418.tif 000003
【図２】
2005010418.tif 000004
【図３】
2005010418.tif 000005
【図４】
2005010418.tif 000006
【図５】
2005010418.tif 000007